【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
ユーザ機器位置を示す携帯電話動作データを受信するステップであって、前記携帯電話動作データがロケーションエリア更新メッセージ及び周期的登録メッセージを含む、当該受信するステップと、
前記携帯電話動作データに基づいて移動推定を実施するステップであって、人口中の１人又は複数の個人に関連するデータに対する補間を実施して、最短経路メッシュシーケンス推定アルゴリズムに基づいて指定の時間枠について前記１人又は複数の個人のそれぞれの過去の軌跡の中間位置を推定するサブステップ、を含み、前記最短経路メッシュシーケンス推定アルゴリズムは、前記携帯電話動作データに基づき地理的エリアを区切る地理的なメッシュシーケンスにおける１人又は複数の個人のそれぞれの完全な過去の軌跡を推定するためのアルゴリズムである、当該実施するステップと、
を含む方法。
【請求項２】
前記補間を実施することが、ユーザ端末に関する速度推定を使用して、複数の最短経路メッシュシーケンス推定アルゴリズムのうちのどれを適用するかを決定すること、を含む請求項１に記載の方法。
【請求項３】
前記速度推定が第１しきい値を超える場合、地理的情報システムベースの最短経路メッシュシーケンス推定アルゴリズムを適用するステップ、
をさらに含む請求項２に記載の方法。
【請求項４】
最短経路推定のためにメッシュ重みを使用するステップ、
をさらに含む請求項３に記載の方法。
【請求項５】
１つ又は複数のメッシュ重みを改善するステップ、
をさらに含む請求項４に記載の方法。
【請求項６】
前記１つ又は複数のメッシュ重みが時間制約に基づいて改善される請求項５に記載の方法。
【請求項７】
１つ又は複数のメッシュ重みが、
メッシュ内の鉄道網及び道路網の一方又は両方の全長、メッシュタイプ、メッシュ幅、交差点の数、及び他のメッシュとの接続、からなるグループ、
から選択された１つ又は複数のものに基づく、請求項４に記載の方法。
【請求項８】
１つ又は複数のメッシュ重みがユーザ依存である請求項４に記載の方法。
【請求項９】
１つ又は複数のメッシュ重みが時間依存である請求項４に記載の方法。
【請求項１０】
周期的登録メッセージが発生した場合でのセクタ中心に最も近いもの、および、
ロケーションエリア更新メッセージが発生した場合での以前のセクタの縁部と現セクタの縁部との中点、
からなるグループの１つに、セクタ内のユーザ端末をマッピングするサブステップを含む、前記ユーザ端末の位置を最大のペース値を有するメッシュにマッピングするステップ、
をさらに含む請求項３に記載の方法。
【請求項１１】
ユーザ機器位置を示す携帯電話動作データを受信するステップであって、前記携帯電話動作データがロケーションエリア更新メッセージ及び周期的登録メッセージを含む、当該受信するステップと、
前記携帯電話動作データに基づいて移動推定を実施するステップであって、人口中の１人又は複数の個人に関連するデータに対する補間を実施して、最短経路メッシュシーケンス推定アルゴリズムに基づいて指定の時間枠について前記１人又は複数の個人のそれぞれの軌跡の中間位置を推定するサブステップ、を含む、当該実施するステップと、
を含む方法であり、
前記補間を実施することが、ユーザ端末に関する速度推定を使用して、複数の最短経路メッシュシーケンス推定アルゴリズムのうちのどれを適用するかを決定すること、を含み、
前記方法は、
前記速度推定が第１しきい値を超える場合、地理的情報システムベースの最短経路メッシュシーケンス推定アルゴリズムを適用するステップと、
前記速度推定が第１しきい値未満である場合、線形メッシュシーケンス推定アルゴリズムを適用するステップと、
をさらに含む、方法。
【請求項１２】
前記最短経路メッシュシーケンス推定アルゴリズムが、メッシュに関する重み及び時間制約を使用する請求項１に記載の方法。
【請求項１３】
時間制約が満たされない場合、前記メッシュシーケンス推定アルゴリズムが、移動時間に基づいて１つ又は複数のメッシュ重みを改訂する請求項１２に記載の方法。
【請求項１４】
命令を格納するメモリと、
前記メモリに結合され、前記メモリからの命令を実行するプロセッサと
を備え、
前記プロセッサが、前記命令を実行することに応答して、ユーザ機器位置を示す携帯電話動作データを受信し、前記携帯電話動作データが、ロケーションエリア更新メッセージ及び周期的登録メッセージを含み、
前記プロセッサが、前記携帯電話動作データに基づいて移動推定を実施し、人口中の１人又は複数の個人に関連するデータに対する補間を実施して、最短経路メッシュシーケンス推定アルゴリズムに基づいて指定の時間枠について前記１人又は複数の個人のそれぞれの過去の軌跡の中間位置を推定することによって移動推定を実施し、
前記最短経路メッシュシーケンス推定アルゴリズムは、前記携帯電話動作データに基づき地理的エリアを区切る地理的なメッシュシーケンスにおける１人又は複数の個人のそれぞれの完全な過去の軌跡を推定するためのアルゴリズムである、
装置。
【請求項１５】
前記プロセッサが、ユーザ端末に関する速度推定を使用して、複数の最短経路メッシュシーケンス推定アルゴリズムのうちのどれを適用するかを決定することを含む補間を実施する請求項１４に記載の装置。
【請求項１６】
命令を格納するメモリと、
前記メモリに結合され、前記メモリからの命令を実行するプロセッサと
を備え、
前記プロセッサが、前記命令を実行することに応答して、ユーザ機器位置を示す携帯電話動作データを受信し、前記携帯電話動作データが、ロケーションエリア更新メッセージ及び周期的登録メッセージを含み、
前記プロセッサが、前記携帯電話動作データに基づいて移動推定を実施し、人口中の１人又は複数の個人に関連するデータに対する補間を実施して、最短経路メッシュシーケンス推定アルゴリズムに基づいて指定の時間枠について前記１人又は複数の個人のそれぞれの軌跡の中間位置を推定することによって移動推定を実施し、
前記プロセッサが、ユーザ端末に関する速度推定を使用して、複数の最短経路メッシュシーケンス推定アルゴリズムのうちのどれを適用するかを決定することを含む補間を実施し、
前記プロセッサが、前記速度推定が第１しきい値を超える場合、地理的情報システムベースの最短経路メッシュシーケンス推定アルゴリズムを実施し、前記速度推定が第１しきい値未満である場合、線形メッシュシーケンス推定アルゴリズムを実施する、
装置。
【請求項１７】
前記プロセッサは、さらに、最短経路推定のためにメッシュ重みを使用する、
請求項１４に記載の装置。
【請求項１８】
メッシュ重みが、
メッシュ内の鉄道網及び道路網の一方又は両方の全長、メッシュタイプ、メッシュ幅、交差点の数、及び他のメッシュとの接続、からなるグループ、から選択された１つ又は複数のものに基づく、請求項１７に記載の装置。
【請求項１９】
１つ又は複数のメッシュ重みがユーザ依存である請求項１７に記載の装置。
【請求項２０】
１つ又は複数のメッシュ重みが時間依存である請求項１５に記載の装置。
【請求項２１】
前記プロセッサが、
周期的登録メッセージが発生した場合でのセクタ中心に最も近いもの、および、
ロケーションエリア更新メッセージが発生した場合での以前のセクタの縁部と現セクタの縁部との中点、
からなるグループの１つに、セクタ内のユーザ端末をマッピングする処理、を含むマッピング処理であって、前記ユーザ端末の位置を最大のペース値を有するメッシュにマッピングするマッピング処理を実行する、請求項１４に記載の装置。
【請求項２２】
実行されたとき、モバイルネットワーク内の移動行動を推定する方法をシステムに実施させる実行可能命令を格納する１つ又は複数の非一時的なコンピュータ可読記憶媒体、を有する製品であって、
前記方法が、
ユーザ機器位置を示す携帯電話動作データを受信するステップであって、前記携帯電話動作データがロケーションエリア更新メッセージ及び周期的登録メッセージを含む、当該受信するステップと、
前記携帯電話動作データに基づいて移動推定を実施するステップであって、人口中の１人又は複数の個人に関連するデータに対する補間を実施して、最短経路メッシュシーケンス推定アルゴリズムに基づいて指定の時間枠について前記１人又は複数の個人のそれぞれの過去の軌跡の中間位置を推定するサブステップ、を含み、前記最短経路メッシュシーケンス推定アルゴリズムは、前記携帯電話動作データに基づき地理的エリアを区切る地理的なメッシュシーケンスにおける１人又は複数の個人のそれぞれの完全な過去の軌跡を推定するためのアルゴリズムである、当該実施するステップと、
を含む、
製品。